(57)【要約】【課題】撮像レンズ４の近傍にフラッシュ発光部６を有し、撮像レンズ４の前方にレンズアクセサリとして例えばコンバージョンレンズ６０を装着可能とした撮像装置において、コンバージョンレンズ６０を装着した状態でフラッシュ撮影を行なうことによる撮影時のケラレ等の発生を防止する。【解決手段】撮像装置１に、コンバージョンレンズ６０が装着された状態を検出する検出手段７０ａを設け、この検出手段７０ａによってコンバージョンレンズ６０の装着が検出された状態での撮影時は、フラッシュ発光部６が発光しないようにする。【選択図】  図８
2006184814.tif 000002
【特許請求の範囲】
【請求項１】
撮像レンズの近傍に発光手段を有し、上記撮像レンズの前方にレンズアクセサリを装着可能とした撮像装置において、
上記レンズアクセサリが装着された状態を検出する検出手段を設け、
この検出手段によってレンズアクセサリの装着が検出された状態での撮影時には、上記発光手段の発光を停止するようにしたことを特徴とする撮像装置。
【請求項２】
請求項１に記載の撮像装置において、
上記検出手段として、上記レンズアクセサリの装着時に上記レンズアクセサリで押されて操作されるプッシュ式の検出スイッチを用いたことを特徴とする撮像装置。
【請求項３】
請求項１に記載の撮像装置において、
上記発光手段の発光を停止すると同時に、表示部に警告メッセージを表示するようにしたことを特徴とする撮像装置。
【請求項４】
請求項１に記載の撮像装置において、
上記発光手段の発光を停止すると同時に、警告音を発するようにしたことを特徴とする撮像装置。
【発明の詳細な説明】
【技術分野】
【０００１】
本発明は撮像装置に関し、特にコンバージョンレンズ等のレンズアクセサリを装着可能とした撮像装置に係るものである。
【背景技術】
【０００２】
ビデオカメラ等の撮像装置においては、コンバージョンレンズ等のレンズアクセサリを装着可能としたものがある。このレンズアクセサリとしては、広角撮影用のワイドコンバージョンレンズ、望遠撮影用のテレコンバージョンレンズ、フィルターなどがあり、必要に応じて撮像レンズの前方に装着して撮影を行なうものである。
【０００３】
このようなレンズアクセサリを装着可能とした撮像装置としては、例えば下記の特許文献１に開示されるようなものがある。
【特許文献１】特開平１０−４８７３７号公報
【発明の開示】
【発明が解決しようとする課題】
【０００４】
ここでレンズアクセサリは一般に撮像レンズよりも大型に形成されているため、このレンズアクセサリを装着した撮像装置で夜間等にフラッシュ撮影を行なうと、撮像レンズの近傍にフラッシュ発光部を有する撮像装置では、フラッシュ発光部の前方にあるレンズアクセサリによってフラッシュ光が遮られて、撮影画像にケラレと呼ばれる撮影不良が発生し、またフラッシュ光が当たるレンズアクセサリの一部分の温度が上昇して発熱するなどの問題が生じる。
【０００５】
本発明は斯かる点に鑑みてなされたもので、レンズアクセサリを装着した状態ではフラッシュ撮影ができない撮像装置を提供し、上記の問題点を解消することを目的とする。
【課題を解決するための手段】
【０００６】
上記の目的を達成するために本発明は、撮像レンズの近傍に発光手段を有し、撮像レンズの前方にレンズアクセサリを装着可能とした撮像装置において、
レンズアクセサリが装着された状態を検出する検出手段を設け、
この検出手段によってレンズアクセサリの装着が検出された状態での撮影時には、発光手段の発光を停止するようにしたことを特徴とするものである。
【０００７】
また本発明は、上記構成の撮像装置において、
検出手段として、レンズアクセサリの装着時にこのレンズアクセサリで押されて操作されるプッシュ式の検出スイッチを用いたものである。
【０００８】
さらに本発明は、上記構成の撮像装置において、
発光手段の発光を停止すると同時に、表示部に警告メッセージを表示するようにしたことを特徴とするものである。
【０００９】
さらに本発明は、上記構成の撮像装置において、
発光手段の発光を停止すると同時に、警告音を発するようにしたことを特徴とするものである。
【発明の効果】
【００１０】
上記の如く構成される本発明の撮像装置では、コンバージョンレンズ等のレンズアクセサリが装着された状態を検出する検出手段を設け、この検出手段によってレンズアクセサリの装着が検出された状態での撮影時には、発光手段の発光を停止するようにしたことで、レンズアクセサリの装着時にはフラッシュなしでの撮影となり、その結果、ケラレと呼ばれる撮影不良の発生やレンズアクセサリの発熱を効果的に防止することができる。
【００１１】
さらに本発明の撮像装置においては、レンズアクセサリの装着時には発光手段の発光を停止させると同時に表示部に警告メッセージを表示し、さらに警告音を発するようにしたことで、レンズアクセサリを装着した状態でのフラッシュ撮影ができないことを撮影者に確実に知らせることができる。
【発明を実施するための最良の形態】
【００１２】
以下、図面を参照しながら本発明の実施例について詳細に説明する。本例では、電子機器である撮像装置として、ＶＴＲ一体型ビデオカメラを例示して説明を行なう。
先ず、図１〜図７を参照して、本例の撮像装置の概要について述べる。図１は本例の撮像装置を手で持った状態を示す斜視図、図２は撮像装置を前面側から見た斜視図、図３は撮像装置を背面側から見た斜視図、図４は撮像装置のパネルモニタを開いた状態を示す斜視図、図５はパネルモニタの使用状態を示す斜視図、図６は撮像装置のカセット収納部を開いた状態を示す斜視図、図７は撮像装置にメモリーカードを挿入する状態を示す斜視図である。
【００１３】
本例の撮像装置は、撮影した動画をテープカセットに記録して再生する機能を有し、さらに静止画をメモリーカードに記録して再生する機能を備えたビデオカメラ機器である。
この撮像装置１は、カメラ本体２の前面２ａの上部に突出して撮像部３を有し、図１に示す如くカメラ本体２を片手(右手)で縦型に持った状態で、撮像部３の前面の撮像レンズ４を前方の被写体に向けて撮影を行なうものである。撮像レンズ４から撮像部３に入射された画像は、カメラ本体２に内蔵される撮像素子で画像信号に変換されて、テープカセットまたはメモリーカードに記録される。
【００１４】
この撮像部３においては、図２に示す如く通常時には撮像レンズ４がレンズシャッター５で覆われており、撮影モードに入るとレンズシャッター５が開かれて撮像レンズ４が露出されるようになっている。さらに撮像部３の前面には、撮像レンズ４の上方に位置してフラッシュ発光部６が設けられており、静止画撮影モードにおける夜間撮影時にはこのフラッシュ発光部６から前方の被写体に向けてフラッシュ光が発光される。
【００１５】
上記撮像部３の反対側においてカメラ本体２の背面２ｄの上部には、図３に示すようにビューファインダ部７が設けられている。このビューファインダ部７は、背面側の窓部８から、カメラ本体２に内蔵される小型の液晶表示画面を覗いて撮影画像または再生画像を見るものであり、窓部８の周囲には遮光用のアイカップ９が設けられている。また図６に示す如く、アイカップ９の下方にはフォーカス調整つまみ１０が設けられており、このフォーカス調整つまみ１０をスライド操作することで、窓部８から内蔵の表示画面を見るときのフォーカスを調整できるようになっている。
【００１６】
さらに本例の撮像装置１では、図５に示すように、カメラ本体２の外部で画像を見る手段として、大型の液晶表示画面１３を有するパネルモニタ１２が設けられている。このパネルモニタ１２は、Ｘ軸とＹ軸の直交する２軸を回動支点として回動するように、連結部材１４を介してカメラ本体２の左側面２ｂに開閉自在に取り付けられており、不使用時には図３に示す如く表示画面１３を内側にした状態でカメラ本体２の左側面２ｂに沿って縦型に折り畳まれるように閉じられている。そして、このパネルモニタ１２を使用するときには、図４に示すようにＸ軸を回動支点としてパネルモニタ１２を水平位置まで引き上げるように９０°回動させて開き、それからさらにＹ軸を回動支点としてパネルモニタ１２を約９０°回動させて、図５に示す如く表示画面１３を使用者側に向けるようにして使用する。
【００１７】
なお、この撮像装置１においてパネルモニタ１２は、その取り付け部に組み込まれたトグル機構によって常に折り畳み状態に保持されるように付勢されていると共に、このパネルモニタ１２を水平に開いた状態ではその角度で安定して保持されるようになっている。
【００１８】
上記パネルモニタ１２が設けられるカメラ本体２の左側面２ｂと反対側の右側面２ｃの下部には、カメラ本体２を安定した状態で持つためのグリップベルト１６が設けられている。このブリップベルト１６は、カメラ本体２の背面２ｄの固定部１７と前面２ａ側の取り付け部１８との間に装着されるストラップベルト１９と、このストラップベルト１９に装着される甲当てパッド２０とで構成され、図１に示す如く、このグリップベルト１６とカメラ本体２との間に右手を通した状態でカメラ本体２を持つことにより、グリップベルト１６で手の甲側を保持し、カメラ本体２を安定した状態で持つことができるものである。
【００１９】
そして本例の撮像装置１では、上記の如くカメラ本体２を右手で持った状態で、その手の指先で操作できる位置に操作部が設けられている。図３に示す如く、カメラ本体２の背面２ｄに設けられる操作部２２には、電源オン／オフ及び動作モード切り換え用のスライドスイッチ２３、開閉蓋のロック解除用のスライドスイッチ２４、録画ボタン２５、画面表示切り換えボタン２６、逆光補正ボタン２７、フラッシュ発光モード切り換えボタン２８、簡易撮影モード設定ボタン２９を有し、これらのスイッチ２３，２４及びボタン２５，２６，２７，２８，２９は、図１のようにカメラ本体２を手で持った状態で親指の指先で操作することができる。
【００２０】
また図２に示す如く、カメラ本体２の右側面２ｃの上部前方に設けられる操作部３１には、撮影時のズーム操作用のスライドスイッチ３２と静止画撮影用のシャッターボタン３３を有し、これらのスイッチ３２及びボタン３３は、図１のようにカメラ本体２を手で持った状態で人差指の指先で操作することができる。
【００２１】
また本例の撮像装置１においては、カメラ本体２の左側面２ｂの前部に設けられた操作部３５に、撮影時の手動調整を行なうための切り換えボタン３６と調整ダイヤル３７を有し、さらにパネルモニタ１２には、表示画面１３の下に録画ボタン３９、撮影時のズーム操作ボタン４０、画面表示サイズ変更ボタン４１が設けられている。なお、上記操作部３５の切り換えボタン３６と調整ダイヤル３７及びパネルモニタ１２の各ボタン３９，４０，４１は、カメラ本体２を持つ右手と反対側の左手の指先で操作するものである。
【００２２】
さらにカメラ本体２の上面２ｅには、マイクロホン部４３とアクセサリ取り付け部４５が設けられている。マイクロホン部４３には多数の通音孔が形成されており、この通音孔を通してカメラ本体２に内蔵されたマイクロホンによって音声が収録される。アクセサリ取り付け部４５はカバー４６で覆われており、このカバー４６を取り外すと各種アクセサリを取り付けるためのシューが露出されるようになっている。またカメラ本体２の底面２ｆには、撮像装置を付属のクレイドル装置と電気的に接続するためのコネクタ４８と、三脚に取り付けるための螺子穴４９が設けられている。
【００２３】
本例の撮像装置１においては、図６に示す如く、カメラ本体２の右側面２ｃから背面２ｄにかけての筐体が開閉蓋５０となっており、操作部２２のスライドスイッチ２４を操作するとこの開閉蓋５０のロックが解除されて開閉自在となる。この開閉蓋５０を開くと図６のようにカメラ本体２の内部のカセット収納部５１が開放され、このカセット収納部５１に設けられたカセット装着装置５２に記録媒体であるテープカセットが装着される。カセット装着装置５２はカセットホルダ５３を備え、開閉蓋５０を開くとこのカセット装着装置５２がカセット収納部５１から迫出してカセットホルダ５３が開き、その状態でカセットホルダ５３にテープカセットを挿入した後、カセットホルダ５３を押して閉じることによりカセット装着装置５２がカセット収納部５１に引き込まれて、テープカセットが所定の装着位置にローディングされる如く動作する。そして、このようにテープカセットのローディングが完了した状態で開閉蓋５０を閉じることにより、テープカセットに対する記録再生が可能な状態となる。
【００２４】
一方、静止画記録用のメモリーカード５５は、図７に示す如く、カメラ本体２の背面２ｄにおいてビューファインダ部７の下方に設けられたカードスロット５６に挿入されるようになっており、このカードスロット５６にメモリーカード５５が装填された状態でメモリーカード５５に対する記録再生が行なわれる。
【００２５】
なお、本例の撮像装置１では、駆動用のバッテリーはカメラ本体２に内蔵されている。このバッテリーの収納部は開閉蓋５０に設けられており、このバッテリー収納部を閉じるカバー５８が開閉蓋５０の下部に設けられ、このカバー５８を取り外すことでバッテリーの交換が行なえるようになっている。
【００２６】
以上の如く構成される本例の撮像装置１では、図８に示す如く、カメラ本体２の前面の撮像部３にレンズアクセサリとしてコンバージョンレンズ６０を装着できるようになっている。このコンバージョンレンズ６０としては、広角撮影用のワイドコンバージョンレンズ、望遠撮影用のテレコンバージョンレンズなどがあり、必要に応じて撮像レンズの前方に装着して撮影を行なうものである。
【００２７】
このコンバージョンレンズ６０は、螺子式でカメラ本体２に固定される。即ち、カメラ本体２の前面の撮像部３では撮像レンズ４の周囲の部分が円形の凹部６２となされ、その内周面には雌螺子部６３が形成されており、これにコンバージョンレンズ６０の雄螺子部６１を回し込んで螺着する構造となっている。
【００２８】
また、コンバージョンレンズ６０の雄螺子部６１とカメラ本体２の雌螺子部６３のサイズが合わない場合には、図９に示す如くアダプターリング６５を介してカメラ本体２にコンバージョンレンズ６０を装着する。即ちこのアダプターリング６５は、その前方側にコンバージョンレンズ６０の雄螺子部６１と対応する雌螺子部６６を有すると共に、後方側にカメラ本体２の雌螺子部６３と対応する雄螺子部６７を有してなり、このアダプターリング６５の雌螺子部６６にコンバージョンレンズ６０の雄螺子部６１を螺着し、さらにこのアダプターリング６５の雄螺子部６７をカメラ本体２の雌螺子部６３に螺着させることにより、コンバージョンレンズ６０をカメラ本体２に装着するものである。ここでは、このアダプターリング６５もコンバージョンレンズに含まれるものとする。
【００２９】
本例の撮像装置１においては、上記のようにコンバージョンレンズ６０を装着した状態での撮影は通常の撮影モードに限定されており、フラッシュ撮影モードには対応していない。即ち、コンバージョンレンズ６０を装着した状態でフラッシュ発光部６を発光させてフラッシュ撮影を行なうと、フラッシュ発光部６の前方にあるコンバージョンレンズ６０によってフラッシュ光が遮られて、撮影画像にケラレと呼ばれる撮影不良が発生し、またフラッシュ光が当たるコンバージョンレンズ６０の一部分の温度が上昇して発熱するなどの懸念がある。
【００３０】
そのため本例の撮像装置１では、コンバージョンレンズ６０が装着された状態を検出する検出手段を設け、コンバージョンレンズ６０の装着時にはフラッシュ発光部６が発光しないようにしてある。
【００３１】
図１０に示す如く、カメラ本体２には検出手段としてプッシュ式の検出スイッチ７０が内蔵されており、その操作片７０ａが雌螺子部６３に臨んで凹部６２に露出されている。図１０(Ａ)はコンバージョンレンズ装着前、(Ｂ)はコンバージョンレンズ装着後の状態を示しており、このコンバージョンレンズ６０の装着時には、雌螺子部６３に螺着されるコンバージョンレンズ６０の雄螺子部６１の端面で検出スイッチ７０の操作片７０ａが押されて操作される状態となり、これによって検出スイッチ７０がオンとなってコンバージョンレンズ６０の装着が検出される。
【００３２】
ここで特に本例の撮像装置１では、コンバージョンレンズ６０の装着を検出する検出手段としてプッシュ式の検出スイッチ７０を用いたことにより、簡単な構成で確実にコンバージョンレンズ６０の装着を検出することができる。
【００３３】
そして、この検出スイッチ７０からの検出信号に基いて、カメラ本体２に内蔵されるコントローラ(マイクロプロセッサ)がフラッシュ発光部６の発光を停止する如く制御を行なう。このコントローラによる制御フローを図１１に示す。即ち、本例の撮像装置１においてフラッシュ撮影モードでシャッターボタン３３が押されると、先ずコンバージョンレンズ６０を検出する検出スイッチ７０がオンであるか否かを判断し(ステップＳ１)、検出スイッチ７０がオフの場合はフラッシュ発光部６を発光させる(ステップＳ２)。一方、検出スイッチ７０がオンである場合には、フラッシュ発光部６の発光を停止させ(ステップＳ３)、これと同時にパネルモニタ１２の表示画面１３に警告メッセージを表示し(ステップＳ４)、さらにカメラ本体２に内蔵されている音発生部から警告音を発生させる(ステップＳ５)。
【００３４】
図１２は警告メッセージの表示例を示す。即ちこの例では、パネルモニタ１２の表示画面１３の中央に「レンズアクセサリが取り付けられていますので、発光できません」とのメッセージ文７２が表示され、また表示画面１３の隅には発光不可を表わすマーク７３が表示される。
【００３５】
このように本例の撮像装置１では、コンバージョンレンズ６０が装着された状態を検出する検出スイッチ７０を設け、この検出スイッチ７０からの検出信号に基いて、コンバージョンレンズ６０の装着時にはフラッシュ発光部６が発光しないように制御するようにしたことで、コンバージョンレンズ６０の装着時にはフラッシュなしでの撮影となり、その結果、ケラレと呼ばれる撮影不良の発生やコンバージョンレンズ６０の発熱を効果的に防止することができる。
【００３６】
さらに本例の撮像装置１においては、コンバージョンレンズ６０の装着時にはフラッシュ発光部６の発光を停止させると同時にパネルモニタ１２の表示画面１３に警告メッセージを表示し、さらに警告音を発するようにしたことで、コンバージョンレンズ６０を装着した状態でのフラッシュ撮影ができないことを撮影者に確実に知らせることができる。
【００３７】
なお、以上の実施例では、コンバージョンレンズ６０の装着を検出する検出手段としてプッシュ式の検出スイッチ７０を用いてあるが、この検出手段としてはプッシュ式の検出スイッチに限ることなく、他にも例えば光学センサーなどを用いてもよい。
【００３８】
さらにその他の各部の構成においても、本発明は実施例の構成に限定されることなく、種々の実施形態を採り得るものであることは言うまでもない。
【図面の簡単な説明】
【００３９】
【図１】実施例の撮像装置を手で把持した状態を示す斜視図である。
【図２】撮像装置を前面側から見た斜視図である。
【図３】撮像装置を背面側から見た斜視図である。
【図４】撮像装置のパネルモニタを開いた状態を示す斜視図である。
【図５】撮像装置のパネルモニタの使用状態を示す斜視図である。
【図６】撮像装置のカセット収納部を開いた状態を示す斜視図である。
【図７】撮像装置にメモリーカードを挿入する状態を示す斜視図である。
【図８】撮像装置にコンバージョンレンズを装着する構成を示す斜視図である。
【図９】撮像装置にアダプターリングを介してコンバージョンレンズを装着する構成を示す斜視図である。
【図１０】撮像装置においてコンバージョンレンズの装着を検出する検出部の構成を示す一部切り欠いた側面図で、(Ａ)はコンバージョンレンズ装着前、(Ｂ)はコンバージョンレンズ装着後の状態である。
【図１１】コンバージョンレンズの装着に関連する制御のフローチャートである。
【図１２】コンバージョンレンズ装着時の警告メッセージの表示例である。
【符号の説明】
【００４０】
１…撮像装置、２…カメラ本体、４…撮像レンズ、６…フラッシュ発光部、６０…コンバージョンレンズ(レンズアクセサリ)、７０…検出スイッチ(検出手段)
【図１】
2006184814.tif 000003
【図２】
2006184814.tif 000004
【図３】
2006184814.tif 000005
【図４】
2006184814.tif 000006
【図５】
2006184814.tif 000007
【図６】
2006184814.tif 000008
【図７】
2006184814.tif 000009
【図８】
2006184814.tif 000010
【図９】
2006184814.tif 000011
【図１０】
2006184814.tif 000012
【図１１】
2006184814.tif 000013
【図１２】
2006184814.tif 000014